(57)【要約】【課題】  １槽式の貯水池の場合であっても、水運用を続けながら貯水池の補修作業を行うことが可能な貯水池の補修作業における不断水工法を提供する【解決手段】  既設のコンクリート製貯水池内に仮設タンクを配置する仮設タンク配置工程と、前記配置された仮設タンクによる配水運転が可能なように、配水配管の接続を行う配管接続工程と、該配管接続工程終了後、前記仮設タンクで配水運転を行っている間に、前記貯水池の補修作業を行う補修工程と、該補修工程が終了した後の貯水池から前記仮設タンクを取り外し、前記貯水池により、配水運転を継続させる仮設タンク取外し工程とを有する。【選択図】            図１
2005171568.tif 000002
【特許請求の範囲】
【請求項１】
既設のコンクリート製貯水池内に仮設タンクを配置する仮設タンク配置工程と、
前記配置された仮設タンクによる配水運転が可能なように、配水配管の接続を行う配管接続工程と、
該配管接続工程終了後、前記仮設タンクで配水運転を行っている間に、前記貯水池の補修作業を行う補修工程と、
該補修工程が終了した後の貯水池から前記仮設タンクを取り外し、前記貯水池により配水運転を継続させる仮設タンク取外し工程とを有することを特徴とする貯水池の補修作業における不断水工法。
【請求項２】
貯水池内に配置する仮設タンクに、貯水池に設けられている流入管、流出管、排泥管、オーバーフロー管と接続可能に配置された流入管、流出管、排泥管、オーバーフロー管とを予め設置したことを特徴とする請求項１に記載の貯水池の補修作業における不断水工法。
【請求項３】
仮設タンクの底板に薄板を取り外し可能に設置して、仮設タンク取外し工程で、前記仮設タンクを取り外す際に、取り外し可能に設置された前記薄板を貯水池の内張りとして残置させることを特徴とする請求項１又は請求項２に記載の貯水池の補修作業における不断水工法。
【発明の詳細な説明】
【技術分野】
【０００１】
本発明は、既設のコンクリート製貯水池を補修する際の不断水工法に関する。
【背景技術】
【０００２】
水槽や貯水池（以下、単に「貯水池」という。）として従来からコンクリート製のものが広く用いられており、用途としては飲料水などの貯水用、防火用水用、養殖用などに用いられている。
【０００３】
しかし、コンクリート製の貯水池は、コンクリートの乾燥収縮、地震、地盤沈下、侵食、劣化などによってコンクリートにひび割れ、破損、歪み、変形などが生じ漏水する。一旦、漏水すると補修しても漏水を完全に防止することは極めて困難であり、貯水池に貯めた水などの液体の減少、貯水池から漏れた水などの液体による環境汚染などが生じるという問題がある。
【０００４】
コンクリート製の貯水池の補修方法としては、従来、防水塗装や樹脂注入を行うことにより漏水に対する補修を行っていたが、補修後に発生したひび割れ等には追従することができず、再度の漏水が発生していた。
【０００５】
また、特開２０００−１４４８２１号公報（特許文献１）には、既設コンクリート製貯水槽の内壁面にシーム溶接でステンレス鋼薄板を敷設する補修方法が記載されている。
【特許文献１】特開２０００−１４４８２１号公報
【発明の開示】
【発明が解決しようとする課題】
【０００６】
しかし、上記いずれの補修方法においても、既設貯水池が２槽式でなければ、水運用されている貯水池を一旦休止して補修を行うこととなる。また、休止できなければ、新たな貯水池を新設、または、仮設タンクを設置して、水運用を行いながら補修を行う必要があるが、敷地の余裕や予算等を考慮すると困難な場合が多い。さらに、１槽式で主要貯水池であると、水運用の停止が不可能な場合が多く、改修できない状況下にある。
【０００７】
本発明は、上記課題を解決するためになされたもので、１槽式の貯水池の場合であっても、水運用を続けながら貯水池の補修作業を行うことが可能な貯水池の補修作業における不断水工法を提供することを目的とする。
【課題を解決するための手段】
【０００８】
上記の課題は次の発明により解決される。
［１］既設のコンクリート製貯水池内に仮設タンクを配置する仮設タンク配置工程と、
前記配置された仮設タンクによる配水運転が可能なように、配水配管の接続を行う配管接続工程と、
該配管接続工程終了後、前記仮設タンクで配水運転を行っている間に、前記貯水池の補修作業を行う補修工程と、
該補修工程が終了した後の貯水池から前記仮設タンクを取り外し、前記貯水池により、配水運転を継続させる仮設タンク取外し工程とを有することを特徴とする貯水池の補修作業における不断水工法。
［２］上記［１］において、貯水池内に配置する仮設タンクに、貯水池に設けられている流入管、流出管、排泥管、オーバーフロー管と接続可能に配置された流入管、流出管、排泥管、オーバーフロー管とを予め設置したことを特徴とする貯水池の補修作業における不断水工法。
［３］上記［１］又は［２］において、仮設タンクの底板に薄板を取り外し可能に設置して、仮設タンク取外し工程で、前記仮設タンクを取り外す際に、取り外し可能に設置された前記薄板を貯水池の内張りとして残置させることを特徴とする貯水池の補修作業における不断水工法。
【発明の効果】
【０００９】
本発明によれば、１槽式の貯水池の場合であっても、水運用を続けながら貯水池の補修作業を行うことが可能な貯水池の補修作業における不断水工法が提供される。
【発明を実施するための最良の形態】
【００１０】
以下、本発明を実施するための最良の形態の一例を説明する。
【００１１】
本発明に係る貯水池の補修作業における不断水工法は、既設のコンクリート製貯水池内に仮設タンクを配置する仮設タンク配置工程と、前記配置された仮設タンクによる配水運転が可能なように、配水配管の接続を行う配管接続工程と、該配管接続工程終了後、前記仮設タンクで配水運転を行っている間に、前記貯水池の補修作業を行う補修工程と、該補修工程が終了した後の貯水池から前記仮設タンクを取り外し、前記貯水池により配水運転を継続させる仮設タンク取外し工程とを有する。
【００１２】
図１〜４は、本発明に係る不断水工法を説明するための説明図である。図１は仮設タンク配置工程、図２は配管接続工程、図３は補修工程、図４は仮設タンク取外し工程の説明図である。以下、各工程毎に説明する。
【００１３】
［仮設タンク配置工程］
本工程においては、図１に示すように、既設のコンクリート製貯水池１の内部に仮設タンク２を配置する。
【００１４】
仮設タンク２を貯水池１の内部に配置するに際しては、前記貯水池１の屋根１ａを、前記仮設タンクが通過できる寸法に開口する必要がある。この開口を行う方法としては、前記貯水池が鉄筋コンクリート（ＲＣ）製の場合には、例えば、道路を切断する際に用いられるエンジンカッター等を用いることができる。また、前記貯水池１がプレストレスコンクリート（ＰＣ）製の場合には、例えば、コアを抜いた後、ワイヤーソー等を用いて開口することができる。なお、いずれの場合においても、屋根１ａを開口する際には、コンクリートの切断かすが貯水池内の水に落ちないように、養生シートや養生ボート等による養生を行うことが好ましい。
【００１５】
屋根１ａの開口後に、仮設タンク２を、クレーン３等で吊り上げながら、屋根１ａに開けた開口部を通して貯水池１内部に装入する。なお、前記仮設タンク２を貯水池１の貯水内に入れる際には、仮設タンク２内に注水しながら行うことが好ましい。
【００１６】
ここで、前記仮設タンク２は、貯水池内部に装入できる大きさであれば、その形状及び大きさについては特に制限はない。しかし、貯水池１の補修作業中は、この仮設タンク２での配水運転となるため、その間の配水容量を確保できる容量とすることが好ましく、屋根１ａの開口部の大きさ等を考慮すると、前記容量を確保できる最小の大きさとすることが好ましい。また、前記仮設タンク２の形状としては、製作或いは取り扱いの容易さを考慮して、円筒形、又は角型（より多角形とすることが好ましい）、とすることが好ましい。
【００１７】
また、前記仮設タンク２の材質としては、貯水池１内部の貯水に対して耐食性を有するものであれば良く、例えば、ステンレス鋼（ＳＵＳ）、一般圧延鋼（ＳＳ）を用いることができる。なお、前記ステンレス鋼を用いる場合には、貯水に消毒用として添加される塩素等が蒸発することにより腐食環境となる仮設タンク内面の気相部に面する部分のステンレス鋼としては、耐腐食性に優れた二相系ステンレス鋼、例えば、ＳＵＳ３２９Ｊ３Ｌ，ＳＵＳ３２９Ｊ４Ｌ等を用いることが好ましい。また、仮設タンク２内面で水に浸る部分である液相部に面する部分は、オーステナイト系ステンレス鋼、例えば、ＳＵＳ３０４，ＳＵＳ３１６等を用いることが好ましい。一方、前記一般圧延鋼を用いる場合には、耐食性を向上させるために仮設タンク２の内面及び外面共に水道用液状エポキシ樹脂塗装を施すことが好ましい。
【００１８】
このように、仮設タンク２を既設のコンクリート製貯水池１の内部に配置することにより、貯水池１が設置されている敷地内で補修作業を行うことが可能となり、別置きにした場合の仮設タンク設置のための敷地の確保が不要となる。
【００１９】
［配管接続工程］
本工程においては、図２に示すように、前記仮設タンク配置工程において配置された仮設タンク２による配水運転が可能なように、配水配管の接続を行う。
【００２０】
既設のコンクリート製貯水池１に設けられている配水運転に必要な配水配管を、仮設タンクに接続することにより、仮設タンクによる配水運転が可能となる。これにより、前記既設のコンクリート製貯水池を補修している間も前記仮設タンクで配水運転ができるため、前記補修作業中の断水を回避することが可能となる。
【００２１】
前記既設のコンクリート製貯水池に設けられている配水運転に必要な配水配管としては、例えば、流入管４、流出管５、排泥管６、オーバーフロー管７がある。ここで、前記仮設タンク２には、前記貯水池１に設けられている流入管４、流出管５、排泥管６、オーバーフロー管７等と接続可能に配置された流入管４ａ、流出管５ａ、排泥管６ａ、オーバーフロー管７ａ等とを予め設置しておくことが好ましい。
【００２２】
予め、既設のコンクリート製貯水池１に設けられている流入管４、流出管５、排泥管６、オーバーフロー管７等と位置を合わせて、仮設タンク２の流入管４ａ、流出管５ａ、排泥管６ａ、オーバーフロー管７ａ等を設け、それらの接続端部に接続手段として、例えば、フランジ等を設けておくことにより、接続が容易且つ短時間で可能となる。これにより、既設のコンクリート製貯水池１から仮設タンク２への配水運転の切り替えが短時間で可能となり、切り替えに伴う配水運転の停止を極力なくすことができる。ここで、前記フランジには、スピンドルを設け、そのスピンドルの一端を貯水池の水面より上方に引き出すようにすることが好ましい。これにより、前記流入管４，４ａ、流出管５，５ａ、排泥管６，６ａ、オーバーフロー管７，７ａ等の接続作業を水面上から行うことが可能となり、作業のより迅速化を図ることができるからである。
【００２３】
なお、前記排泥管６，６ａ及び／又はオーバーフロー管７，７ａ同士を接続する場合には、図２に示すように、仮設タンク２に既設のコンクリート製貯水池１に設けられている排泥管６及びオーバーフロー管７に被せることができるような排泥管６ａ及びオーバーフロー管７ａを設けておくことで容易に排泥管６，６ａ及び／又はオーバーフロー管７，７ａ同士の接続を行うことが可能となる。
【００２４】
前記スピンドルを設けない場合は、仮設タンク配置後に、前記既設のコンクリート製貯水池内の水を抜いた後に前記流入管、流出管、排泥管、オーバーフロー管等の接続を行うようにすればよい。
【００２５】
なお、既設のコンクリート製貯水池から仮設タンクへの配水運転の切り替えは、夜間等の水需要が極力少ない時間帯に行うことが望ましい。
【００２６】
［補修工程］
本工程においては、前記配管接続工程が終了した後、前記仮設タンクで配水運転を行っている間に、前記既設のコンクリート製貯水池の補修作業を行うものである。
【００２７】
前記仮設タンクで配水運転を開始した後に、既設のコンクリート製貯水池の水を抜いてから前記既設のコンクリート製貯水池の補修作業を行う。前記補修作業としては、図３に示すように、例えば、内壁面にステンレス鋼等の耐食性薄板８を敷設する方法等を行うことができる。
【００２８】
［仮設タンク取外し工程］
本工程においては、図４に示すように、前記補修工程が終了した後の貯水池１から前記仮設タンク２を取り外し、前記貯水池１により配水運転を継続させるものである。なお、前記仮設タンク２から補修作業の終了した既設のコンクリート製貯水池１への配水運転の切り替えは、前記配管接続工程の逆の手順となる。
【００２９】
既設のコンクリート製貯水池１に設けられている流入管４、流出管５、排泥管６、オーバーフロー管７等との接続を切り離した後、前記仮設タンク２を持ち上げる際に、仮設タンク２の底板に取り外し可能に設置された薄板９を前記貯水池１の内張りとして残置させる。この際、前記薄板９は、仮設タンク２を持ち上げる前に、既設のコンクリート製貯水池の内壁面に敷設される板として溶接しておくことが好ましい。なお、前記薄板９は、前記補修工程において、貯水池１の内壁面に敷設する耐食性薄板８と同様の材質とすることが好ましい。
【００３０】
前記仮設タンクの取り外し後は、補修の終わった貯水池による配水運転へと切り替える。なお、仮設タンクから既設のコンクリート製貯水池への配水運転の切り替えは、夜間等の水需要が極力少ない時間帯に行うことが望ましい。
【００３１】
また、前記既設コンクリート製貯水池の屋根の開口部は、一般圧延鋼（ＳＳ）の塗装仕様のものか、ステンレス鋼（ＳＵＳ）の板等で型枠を作り、コンクリートの打設をを行うことで復旧することが好ましい。
【００３２】
なお、前記仮設タンクは、他の同程度の規模の既設コンクリート製貯水池の補修にも転用可能である。
【図面の簡単な説明】
【００３３】
【図１】本発明に係る不断水工法を説明するための説明図であり、仮設タンク配置工程の説明図である。
【図２】本発明に係る不断水工法を説明するための説明図であり、配管接続工程の説明図である。
【図３】本発明に係る不断水工法を説明するための説明図であり、補修工程の説明図である。
【図４】本発明に係る不断水工法を説明するための説明図であり、仮設タンク取外し工程の説明図である。
【符号の説明】
【００３４】
１  既設のコンクリート製貯水池
１ａ  屋根
２  仮設タンク
３  クレーン
４，４ａ  流入管
５，５ａ  流出管
６，６ａ  排泥管
７，７ａ  オーバーフロー管
８  耐食性薄板
９  薄板
【図１】
2005171568.tif 000003
【図２】
2005171568.tif 000004
【図３】
2005171568.tif 000005
【図４】
2005171568.tif 000006